(57)【要約】【課題】より安価な単糖の製造方法を提供することを目的とする。【解決手段】酸化チタンを含む光触媒の存在下、光を照射して多糖から単糖を製造する方法とする。【特許請求の範囲】
【請求項１】
酸化チタンを含む光触媒の存在下、光を照射して多糖から単糖を製造する方法。
【請求項２】
前記多糖はセルロースを含み、前記単糖はグルコースを含む、請求項１記載の単糖を製造する方法。
【請求項３】
３００ｎｍ以上７５０ｎｍ以下の波長の光を照射する請求項１記載の単糖を製造する方法。
【請求項４】
照射する光のエネルギー量は、１MＪ以上１０００MＪ以下の範囲である、請求項１記載の単糖を製造する方法。
【請求項５】
酸性又は中性の水溶液中で行われる請求項１記載の単糖を製造する方法。
【発明の詳細な説明】
【技術分野】
【０００１】
本発明は、単糖の製造方法に関し、特に多糖を低分子化して単糖を製造する方法に好適なものに関する。
【背景技術】
【０００２】
グルコースといった単糖は、エタノール、アミノ酸の材料として非常に有用なものである。一般に、グルコースといった単糖はこれらを構成成分とする多糖、例えばデンプンの酵素分解、酸加水分解により製造される。
【０００３】
しかしながら、上記酵素分解による製造方法では、原料がデンプンである場合が多く、穀物類の供給量の限界など観点から改良の余地が残る。
【０００４】
ところで、多糖は単糖が複雑に結合したものであるため、この多糖を分解して低分子化して単糖を得ようとする方法が、例えば下記特許文献１に記載されている。
【０００５】
【特許文献１】特開２００４−５２６００８号公報
【発明の開示】
【発明が解決しようとする課題】
【０００６】
しかしながら、上記特許文献１に記載の技術であっても、最終的に酵素分解法を用いる、低分子化するために多大なる熱エネルギーを要するという点において課題が残る。
【０００７】
そこで、本発明は、上記課題を解決し、より安価な単糖の製造方法を提供することを目的とする。
【課題を解決するための手段】
【０００８】
本発明者らは、上記課題について鋭意検討を行っていたところ、光触媒を用い、光を照射することで、多糖を単糖に低分子化できる点を発見し、本発明を完成させるに至った。
【０００９】
即ち、本発明の一手段に係る単糖の製造方法は、二酸化チタンを含む光触媒の存在下、光を照射して多糖を単糖を製造する。この場合において、多糖をセルロースとすると、この結果得られる単糖はグルコースを含むものとなる。
【発明の効果】
【００１０】
本発明によると、二酸化チタンの存在下で光照射を行うことで多糖、例えばセルロースにおけるベータ１−４グリコシド結合を加水分解することでグルコースといった単糖を得ることができる。特に本法によると、加熱分解といった作業などが不要となり、簡便で低コストで単糖を得ることができるといった効果がある。
【発明を実施するための最良の形態】
【００１１】
以下、本発明の実施の形態について、詳細に説明するが、本発明は多くの異なる態様による実施が可能であり、以下に示す実施形態、実施例の記載そのものに限定されるものでないことはいうまでもない。
【００１２】
本実施形態に係る単糖を製造する方法は、二酸化チタンを含む光触媒の存在下、光を照射して多糖から単糖を製造することを特徴の一つとする。
【００１３】
本実施形態において、多糖は限定されるわけではないが単糖を製造する材料としてセルロースであることが原料価格、原料入手の容易さの観点から好ましい。
【００１４】
また本実施形態において、製造される単糖は、グルコースを含んでいる。
【００１５】
また本実施形態において、用いる光触媒の量と分解されるセルロースの量としては、分解できる限りにおいて限定されるわけではないが、用いる光触媒の重量を１とした場合に０．１以上１０以下の範囲としておくことが好ましく、より好ましくは０．５以上１以下である。０．１以上とすることで短時間でグルコースが得られるといった利点があり、１００以下とすることでグルコース以外の分解物を減らすことができるといった利点がある。
【００１６】
また本実施形態において、照射する光の波長としては、３００ｎｍ以上７５０ｎｍ以下の波長の光であること、より好ましくは３５０ｎｍ以上５００ｎｍ以下である。３５０ｎｍ以上とすることでグルコースの分解を抑えるとともに短時間のグルコースの生成が可能となり、５００ｎｍ以下とすることでグルコース純度を高めることが可能になる。
【００１７】
また本実施形態において、照射する光のエネルギー量は、限定されるわけではないが１ＭＪ以上１０００ＭＪ以下の範囲であることが好ましく、より好ましくは１０ＭＪ以上１００ＭＪ以下である。１０ＭＪ以上とすることで高純度のグルコースの生成といった効果を得ることができ、１００ＭＪ以下とすることで短時間でのグルコースの生成といった効果を得ることができる。
【００１８】
また本実施形態において、限定されるわけではないが、この分解反応は水溶液中で行われることが好ましく、酸性又は中性の水溶液中で行われることがより好ましい。アルカリ性とすると、生成したグルコースの分解といった虞がある。なおここで中性又は酸性といえるためには、ｐＨ４以上８以下の範囲であることが好ましい。
【００１９】
また、本実施形態において、水溶液中で上記単糖の製造を行う方法は、セルロース及び二酸化チタンが水に難溶であることを利用し、セルロース及び二酸化チタンを懸濁させた水溶液に光を照射することで実現できる。本方法によると、製造された単糖は水に可溶であるため、水と懸濁物とを濾過することで容易に分離できるといった利点もある。
【００２０】
以上、本実施形態によると、従来の方法に比べ、加熱分解といった工程が不要となり、より簡便に低コストで単糖を製造できるといった利点がある。
【実施例】
【００２１】
以下、上記実施形態において説明した単糖の製造方法について、実際に実験を行い、効果の確認を行った。以下説明する。
【００２２】
（実施例１）
１００ｍｌの水に、０．５ｇの二酸化チタン（和光純薬社製、製造用）と５ｇのセルロース（分子量５０００〜１０００００）を加え、耐熱ガラス製ビーカーに入れ攪拌して懸濁液を作成した。
【００２３】
そしてこの懸濁液に対し、低圧水銀ランプ（セン社製、５００W、波長２５０ｎｍ〜４７０ｎｍ）を用い、室温中（１５〜３０℃）、にて６００分照射した。なおこの場合において照射したエネルギー量としては、１８ＭＪと換算できた。
【００２４】
そしてこの光照射ののち、懸濁液を濾過し、その濾液９０ｍｌを得た。
【００２５】
この濾液９０ｍｌに対し、高速液体クロマトグラフィーによる中性糖の定量測定を行った結果、グルコース０．０２ｇが含まれていることを確認した。
【００２６】
以上、本実施例によると、二酸化チタンとセルロースとを水に加えて光を照射するといった非常に簡便な方法で単糖を製造することができることを確認した。
【００２７】
（実施例２）
本実施例は、実施例１と同様であるが、光の波長及び照射したエネルギー量が異なる。具体的には、照射する光を耐熱ガラス製ビーカーで吸収させ、波長を３５０ｎｍ以上とし、室温中、１０００分とした。なおこの場合において照射したエネルギー量としては、３０ＭＪと換算できた。
【００２８】
この結果、上記と同様の方法により濾液９０ｍｌを得、それに対し高速液体クロマトグラフィーによる中性糖の定量測定を行った。この結果、グルコース０．０１ｇを得ることができた。
【００２９】
以上、本実施例によっても、二酸化チタンとセルロースとを水に加えて光を照射するといった非常に簡便な方法で単糖を製造することができることを確認した。
【産業上の利用可能性】
【００３０】
単糖類、特にグルコースはアルコール、アミノ酸の材料として産業上利用可能であるため、多糖類から単糖類を得る本発明は当然に産業上の利用可能性を有する。また、光源として太陽光を利用することも可能となる。